(57)【要約】【課題】インナーフィンとしてウェーブフィンを用いるとともに、１つの流路管内に３段以上積層されたインナーフィンを有する積層型熱交換器において、積層方向に隣り合うインナーフィン間の位置ずれを抑制しつつ、１枚の金属板を折り曲げることにより３段以上積層されたインナーフィンを形成することが可能な構成を提供する。【解決手段】３段のインナーフィン３３を、１枚の金属板を、２個の折り返し部５を設けて折り返すことにより形成し、インナーフィン３３における１つの板部３３１に接続される２つの連結部３３２のうち、積層方向一側に配置されるものを頂部５１とし、積層方向他側に配置されるものを谷部５２としたとき、２段目のインナーフィン３３と３段目のインナーフィン３３との間の折り返し部５を、２段目のインナーフィン３３の谷部５２と、３段目のインナーフィン３３の頂部５１とにより構成する。【選択図】図４
2011228580.tif 000002
【特許請求の範囲】
【請求項１】
熱媒体が流通する熱媒体流路（３０）を有する複数の流路管（３）と、
前記複数の流路管（３）を連通する連通部材（４）とを備え、
前記複数の流路管（３）は、前記流路管（３）と交互に配置される熱交換対象物（２）を両面から挟持できるように積層配置されており、
前記流路管（３）内に、前記熱媒体流路（３０）を複数の細流路（３３３）に分割するとともに、前記熱媒体と前記流路管（３）との伝熱面積を増大させるインナーフィン（３３）が設けられている積層型熱交換器であって、
前記インナーフィン（３３）は、前記流路管（３）の長手方向に延びる板部（３３１）と、隣り合う前記板部（３３１）間を繋ぐ連結部（３３２）とを有し、前記長手方向に直交する断面形状が波状となるとともに、前記積層方向から見た際に前記板部（３３１）が前記長手方向に波形に屈折するウェーブフィンであり、
前記インナーフィン（３３）は、前記流路管（３）内に前記流路管（３）の積層方向にＭ段（Ｍは３以上の整数）積層されており、
前記Ｍ段のインナーフィン（３３）は、１枚の金属板を、（Ｍ−１）個の折り返し部（５）を設けて折り返すことにより形成されており、
前記インナーフィン（３３）における１つの前記板部（３３１）に接続される２つの前記連結部（３３２）のうち、前記積層方向の一側に配置されるものを頂部（５１）とし、前記積層方向の他側に配置されるものを谷部（５２）としたとき、
（Ｎ−１）段目（Ｎは２以上Ｍ以下の整数）の前記インナーフィン（３３）とＮ段目の前記インナーフィン（３３）との間の前記折り返し部（５）は、前記（Ｎ−１）段目のインナーフィン（３３）の前記谷部（５２）と、前記Ｎ段目のインナーフィン（３３）の前記頂部（５１）とにより構成されていることを特徴とする積層型熱交換器。
【請求項２】
前記流路管（３）の長手方向および前記積層方向に対してともに直交する方向を、流路管幅方向としたとき、
前記（Ｎ−１）段目のインナーフィン（３３）の前記折り返し部（５）を構成する前記谷部（５２）における前記流路管幅方向の長さ（Ｗ１）は、前記（Ｎ−１）段目のインナーフィン（３３）の他の前記谷部（５２）における前記流路管幅方向の長さ（Ｗ２）の半分になっており、
前記Ｎ段目のインナーフィン（３３）の前記折り返し部（５）を構成する前記頂部（５１）における前記流路管幅方向の長さ（Ｗ３）は、前記Ｎ段目のインナーフィン（３３）の他の前記頂部（５１）における前記流路管幅方向の長さ（Ｗ４）の半分になっていることを特徴とする請求項１に記載の積層型熱交換器。
【請求項３】
前記流路管（３）の長手方向および前記積層方向に対してともに直交する方向を、流路管幅方向としたとき、
前記インナーフィン（３３）の前記頂部（５１）は、２つの半頂部（５１ａ）から構成されているとともに、前記半頂部（５１ａ）の前記流路管幅方向の長さは、前記頂部（５１）の前記流路管幅方向の長さの半分になっており、
前記インナーフィン（３３）の前記谷部（５２）は、２つの半谷部（５２ａ）から構成されているとともに、前記半谷部（５２ａ）の前記流路管幅方向の長さは、前記谷部（５２）の前記流路管幅方向の長さの半分になっており、
前記インナーフィン（３３）における、１つの前記頂部（５１）と、当該頂部（５１）に接続される２つの前記板部（３３１）と、当該２つの板部（３３１）の各々に接続される前記半谷部（５２ａ）とから構成される部分を山部（６）とし、
前記インナーフィン（３３）における、１つの前記半頂部（５１ａ）と、当該半頂部（５１ａ）に接続される１つの前記板部（３３１）と、当該板部（３３１）に接続される前記半谷部（５２ａ）とから構成される部分を半山部（７）としたとき、
各段の前記インナーフィン（３３）は、それぞれ、Ｓ個（Ｓは自然数）の前記山部（６）および１個の前記半山部（７）から構成されていることを特徴とする請求項１または２に記載の積層型熱交換器。
【請求項４】
前記流路管（３）の長手方向および前記積層方向に対してともに直交する方向を、流路管幅方向としたとき、
前記インナーフィン（３３）の前記頂部（５１）は、２つの半頂部（５１ａ）から構成されているとともに、前記半頂部（５１ａ）の前記流路管幅方向の長さは、前記頂部（５１）の前記流路管幅方向の長さの半分になっており、
前記インナーフィン（３３）の前記谷部（５２）は、２つの半谷部（５２ａ）から構成されているとともに、前記半谷部（５２ａ）の前記流路管幅方向の長さは、前記谷部（５２）の前記流路管幅方向の長さの半分になっており、
前記インナーフィン（３３）における、１つの前記頂部（５１）と、当該頂部（５１）に接続される２つの前記板部（３３１）と、当該２つの板部（３３１）の各々に接続される前記半谷部（５２ａ）とから構成される部分を山部（６）とし、
前記インナーフィン（３３）における、１つの前記半頂部（５１ａ）と、当該半頂部（５１ａ）に接続される１つの前記板部（３３１）と、当該板部（３３１）に接続される前記半谷部（５２ａ）とから構成される部分を半山部（７）としたとき、
前記インナーフィン（３３）は、前記流路管（３）内に前記流路管（３）の積層方向に３段積層されており、
１段目の前記インナーフィン（３３）は、Ｔ個（Ｔは２以上の整数）の前記山部（６）から構成されており、
２段目の前記インナーフィン（３３）は、（Ｔ−１）個の前記山部（６）および１個の前記半山部（７）から構成されており、
３段目の前記インナーフィン（３３）は、（Ｔ−１）個の前記山部（６）および１個の前記半山部（７）、Ｔ個の前記山部（６）または（Ｔ−１）個の前記山部（６）から構成されていることを特徴とする請求項１または２に記載の積層型熱交換器。
【請求項５】
前記流路管（３）の長手方向および前記積層方向に対してともに直交する方向を、流路管幅方向としたとき、
前記インナーフィン（３３）の前記頂部（５１）は、２つの半頂部（５１ａ）から構成されているとともに、前記半頂部（５１ａ）の前記流路管幅方向の長さは、前記頂部（５１）の前記流路管幅方向の長さの半分になっており、
前記インナーフィン（３３）の前記谷部（５２）は、２つの半谷部（５２ａ）から構成されているとともに、前記半谷部（５２ａ）の前記流路管幅方向の長さは、前記谷部（５２）の前記流路管幅方向の長さの半分になっており、
前記インナーフィン（３３）における、１つの前記頂部（５１）と、当該頂部（５１）に接続される２つの前記板部（３３１）と、当該２つの板部（３３１）の各々に接続される前記半谷部（５２ａ）とから構成される部分を山部（６）とし、
前記インナーフィン（３３）における、１つの前記半頂部（５１ａ）と、当該半頂部（５１ａ）に接続される１つの前記板部（３３１）と、当該板部（３３１）に接続される前記半谷部（５２ａ）とから構成される部分を半山部（７）としたとき、
前記インナーフィン（３３）は、前記流路管（３）内に前記流路管（３）の積層方向に３段積層されており、
１段目および３段目の前記インナーフィン（３３）は、それぞれ、Ｕ個（Ｕは自然数）の前記山部（６）から構成されており、
２段目の前記インナーフィン（３３）は、Ｕ個の前記山部（６）と１個の前記半山部（７）とから構成されていることを特徴とする請求項１または２に記載の積層型熱交換器。
【発明の詳細な説明】
【技術分野】
【０００１】
本発明は、熱媒体が流通する流路管と熱交換対象物とが交互に積層された積層型熱交換器に関する。
【背景技術】
【０００２】
従来、半導体素子を内蔵した半導体モジュール等の発熱体の放熱を行うために、発熱体を両面から挟持するように流路管を配設して構成される積層型熱交換器が知られている。このような積層型熱交換器では、発熱体と流路管とが交互に積層された構成となっており、積層された複数の流路管は、連通部材によって連通され、冷却媒体が各流路管に流通するように構成されている。
【０００３】
この種の積層型熱交換器において、熱交換性能を向上させるために、流路管内に仕切部材を配設して１つの流路管内に熱媒体流路を流路管の厚み方向に２段形成するとともに、２段に形成された熱媒体流路のそれぞれにインナーフィンを配置したものが開示されている（例えば、特許文献１参照）。
【０００４】
ところで、この種の積層型熱交換器では、連通部材から各流路管に熱媒体が分配される構成になっているので、流路管内の熱媒体の流速が遅くなる。このような流路管内の微小流量域における熱交換性能の向上を図るために、インナーフィンとして、流路管内の熱媒体の混合促進機能を有するウェーブフィンを用い、当該ウェーブフィンを流路管の厚み方向（流路管の積層方向）に２段積層したものが開示されている（例えば、特許文献２参照）。
【先行技術文献】
【特許文献】
【０００５】
【特許文献１】特開２００５−１９１５２７号公報
【特許文献２】特開２０１０−１０４１８号公報
【発明の概要】
【発明が解決しようとする課題】
【０００６】
ところで、上記特許文献２には、１枚の金属板を折り曲げることによりウェーブフィンを２段積層したものが開示されている（特許文献２の実施例５参照）。
【０００７】
ここで、ウェーブフィンを３段以上積層する場合、ウェーブフィンの波形状の折り返し仕様上、図９に示すように、２段目のインナーフィンＪ３３Ｂと３段目のインナーフィンＪ３３Ｃとの間に、２個の折り曲げ起点Ｊ５を設ける必要がある。このとき、２個の折り曲げ起点Ｊ５間に形成された平面部Ｊ３４を、必ずしも流路管の積層方向と平行にすることができない。そして、平面部Ｊ３４が流路管の厚み方向に対して傾斜してしまうと、２段目のインナーフィンＪ３３Ｂと３段目のインナーフィンＪ３３Ｃとの間で位置ずれが生じるという問題がある。
【０００８】
すなわち、２段目のインナーフィンＪ３３Ｂと３段目のインナーフィンＪ３３Ｃとの間に折り曲げ起点Ｊ５を２個設けると、２個の折り曲げ起点Ｊ５が流路管の幅方向に相対的にずれる可能性が必然的に存在する。そして、２個の折り曲げ起点Ｊ５が相対的に流路管の幅方向にずれると、２段目のインナーフィンＪ３３Ｂに対して３段目のインナーフィンＪ３３Ｃが流路管の幅方向にずれることになるので、２段目のインナーフィンＪ３３Ｂと３段目のインナーフィンＪ３３Ｃとの間で位置ずれが生じてしまう。
【０００９】
ところで、ウェーブフィンを複数段積層することによる熱交換性能の向上は、流路管の積層方向から見た際のウェーブによる効果、すなわち流路管の幅方向の熱媒体流れを形成することによる効果に起因しているが、これだけではなく、流路管の積層方向の熱媒体流れを形成することによる混合促進効果にも起因している。ここで、２段目のインナーフィンＪ３３Ｂと３段目のインナーフィンＪ３３Ｃとの間で位置ずれが生じると、熱媒体の混合の仕方にバラツキが発生し、安定した熱交換性能を確保することができない。
【００１０】
これに対し、３段以上積層されたインナーフィンを提供するために、インナーフィンを１枚の金属板により形成するのではなく、複数のウェーブフィンを別々に形成した後、それらを単に積層する手法が考えられる。しかしながら、別体として構成されたウェーブフィンを位置ずれが生じないように複数段積層することは非常に困難である。
【００１１】
本発明は上記点に鑑みて、インナーフィンとしてウェーブフィンを用いるとともに、１つの流路管内に３段以上積層されたインナーフィンを有する積層型熱交換器において、積層方向に隣り合うインナーフィン間の位置ずれを抑制しつつ、１枚の金属板を折り曲げることにより３段以上積層されたインナーフィンを形成することが可能な構成を提供することを目的とする。
【課題を解決するための手段】
【００１２】
上記目的を達成するため、請求項１に記載の発明では、インナーフィン（３３）は、流路管（３）の長手方向に延びる板部（３３１）と、隣り合う板部（３３１）間を繋ぐ連結部（３３２）とを有し、長手方向に直交する断面形状が波状となるとともに、積層方向から見た際に板部（３３１）が長手方向に波形に屈折するウェーブフィンであり、インナーフィン（３３）は、流路管（３）内に流路管（３）の積層方向にＭ段（Ｍは３以上の整数）積層されており、Ｍ段のインナーフィン（３３）は、１枚の金属板を、（Ｍ−１）個の折り返し部（５）を設けて折り返すことにより形成されており、インナーフィン（３３）における１つの板部（３３１）に接続される２つの連結部（３３２）のうち、積層方向の一側に配置されるものを頂部（５１）とし、積層方向の他側に配置されるものを谷部（５２）としたとき、（Ｎ−１）段目（Ｎは２以上Ｍ以下の整数）のインナーフィン（３３）とＮ段目のインナーフィン（３３）との間の折り返し部（５）は、（Ｎ−１）段目のインナーフィン（３３）の谷部（５２）と、Ｎ段目のインナーフィン（３３）の頂部（５１）とにより構成されていることを特徴としている。
【００１３】
これによれば、（Ｎ−１）段目のインナーフィン（３３）とＮ段目のインナーフィン（３３）との間の折り返し部（５）、すなわち折り曲げ起点を１個とすることができる。このため、当該折り返し部（５）が相対的に流路管幅方向にずれることは起こり得ない。したがって、流路管積層方向に隣り合うインナーフィン（３３）間の位置ずれを抑制することができる。その結果、積層方向に隣り合うインナーフィン（３３）間の位置ずれを抑制しつつ、１枚の金属板を折り曲げることにより３段以上積層されたインナーフィン（３３）を形成することが可能となる。
【００１４】
また、請求項２に記載の発明では、請求項１に記載の積層型熱交換器において、流路管（３）の長手方向および積層方向に対してともに直交する方向を、流路管幅方向としたとき、（Ｎ−１）段目のインナーフィン（３３）の折り返し部（５）を構成する谷部（５２）における流路管幅方向の長さ（Ｗ１）は、（Ｎ−１）段目のインナーフィン（３３）の他の谷部（５２）における流路管幅方向の長さ（Ｗ２）の半分になっており、Ｎ段目のインナーフィン（３３）の折り返し部（５）を構成する頂部（５１）における流路管幅方向の長さ（Ｗ３）は、Ｎ段目のインナーフィン（３３）の他の頂部（５１）における流路管幅方向の長さ（Ｗ４）の半分になっていることを特徴としている。
【００１５】
これによれば、（Ｎ−１）段目のインナーフィン（３３）の頂部（５１）とＮ段目のインナーフィン（３３）の谷部（５２）とを対向させることができるので、（Ｎ−１）段目のインナーフィン（３３）に沿って流れる熱媒体とＮ段目のインナーフィン（３３）に沿って流れる熱媒体とが、互いに反対向きの蛇行の仕方をすることとなるため、熱交換性能を向上させることが可能となる。
【００１６】
また、請求項３に記載の発明のように、請求項１または２に記載の積層型熱交換器において、インナーフィン（３３）の頂部（５１）は、２つの半頂部（５１ａ）から構成されているとともに、半頂部（５１ａ）の流路管幅方向の長さは、頂部（５１）の流路管幅方向の長さの半分になっており、インナーフィン（３３）の谷部（５２）は、２つの半谷部（５２ａ）から構成されているとともに、半谷部（５２ａ）の流路管幅方向の長さは、谷部（５２）の流路管幅方向の長さの半分になっており、インナーフィン（３３）における、１つの頂部（５１）と、当該頂部（５１）に接続される２つの板部（３３１）と、当該２つの板部（３３１）の各々に接続される半谷部（５２ａ）とから構成される部分を山部（６）とし、インナーフィン（３３）における、１つの半頂部（５１ａ）と、当該半頂部（５１ａ）に接続される１つの板部（３３１）と、当該板部（３３１）に接続される半谷部（５２ａ）とから構成される部分を半山部（７）としたとき、各段のインナーフィン（３３）は、それぞれ、Ｓ個（Ｓは自然数）の山部（６）および１個の半山部（７）から構成されていてもよい。
【００１７】
また、請求項４に記載の発明のように、請求項１または２に記載の積層型熱交換器において、インナーフィン（３３）は、流路管（３）内に流路管（３）の積層方向に３段積層されており、１段目のインナーフィン（３３）は、Ｔ個（Ｔは２以上の整数）の山部（６）から構成されており、２段目のインナーフィン（３３）は、（Ｔ−１）個の山部（６）および１個の半山部（７）から構成されており、３段目のインナーフィン（３３）は、（Ｔ−１）個の山部（６）および１個の半山部（７）、Ｔ個の山部（６）または（Ｔ−１）個の山部（６）から構成されていてもよい。
【００１８】
また、請求項５に記載の発明のように、請求項１または２に記載の積層型熱交換器において、インナーフィン（３３）は、流路管（３）内に流路管（３）の積層方向に３段積層されており、１段目および３段目のインナーフィン（３３）は、それぞれ、Ｕ個（Ｕは自然数）の山部（６）から構成されており、２段目のインナーフィン（３３）は、Ｕ個の山部（６）と１個の半山部（７）とから構成されていてもよい。
【００１９】
なお、この欄および特許請求の範囲で記載した各手段の括弧内の符号は、後述する実施形態に記載の具体的手段との対応関係を示すものである。
【図面の簡単な説明】
【００２０】
【図１】第１実施形態に係る積層型熱交換器１を示す正面図である。
【図２】図１のＡ−Ａ断面図である。
【図３】第１実施形態におけるインナーフィン３３を示しており、（ａ）が断面図、（ｂ）が平面図である。
【図４】第１実施形態におけるインナーフィン３３を流路管長手方向から見た模式的な断面図である。
【図５】第２実施形態におけるインナーフィン３３を流路管長手方向から見た模式的な断面図である。
【図６】第３実施形態におけるインナーフィン３３を流路管長手方向から見た模式的な断面図である。
【図７】第４実施形態におけるインナーフィン３３を流路管長手方向から見た模式的な断面図である。
【図８】第５実施形態におけるインナーフィン３３を流路管長手方向から見た模式的な断面図である。
【図９】従来の積層型熱交換器におけるインナーフィンを示す斜視図である。
【発明を実施するための形態】
【００２１】
以下、本発明の実施形態について図に基づいて説明する。なお、以下の各実施形態相互において、互いに同一もしくは均等である部分には、図中、同一符号を付してある。
【００２２】
（第１実施形態）
本発明の第１実施形態について図１〜図４に基づいて説明する。図１は、本第１実施形態に係る積層型熱交換器１を示す正面図である。
【００２３】
図１に示すように、本実施形態の積層型熱交換器１は、熱交換対象物としての複数の電子部品２を両面から冷却するもので、熱媒体を流通させる熱媒体流路３０（図２参照）を有する扁平形状の複数の流路管３と、複数の流路管３を連通する連通部材４とを備えている。複数の流路管３は、電子部品２を両面から挟持できるように複数個積層配置されている。
【００２４】
本実施形態では、電子部品２として、ＩＧＢＴ等の半導体素子とダイオードとを内蔵した半導体モジュールを用いている。当該半導体モジュールは、自動車用インバータ、産業機器のモータ駆動インバータ、ビル空調用のエアコンインバータ等に用いるものとすることができる。なお、電子部品２としては、上記半導体モジュール以外にも、例えば、パワートランジスタ、パワーＦＥＴ、ＩＧＢＴ等を用いることもできる。
【００２５】
図２は、図１のＡ−Ａ断面図である。図２に示すように、本実施形態の流路管３は、いわゆるドロンカップ構造となっている。すなわち、流路管３は、一対の外殻プレート３１を有して構成されており、一対の外殻プレート３１の間に熱媒体流路３０が形成されている。
【００２６】
流路管３内には、熱媒体流路３０を複数の細流路３３３に分割し、熱媒体と流路管３との伝熱面積を増大させるインナーフィン３３が設けられている。本実施形態では、インナーフィン３３は、一対の外殻プレート３１間、すなわち熱媒体流路３０内に、流路管３の積層方向（以下、流路管積層方向という）に３段積層して配置されている。このインナーフィン３３の詳細については後述する。
【００２７】
図１に戻り、電子部品２は、流路管３の一対の外殻プレート３１それぞれに対して２個ずつ設けられている。各外殻プレート３１に設けられた２つの電子部品２は、それぞれ熱媒体の流れ方向に直列に配置されている。
【００２８】
また、流路管３の外殻プレート３１における長手方向両端部には、外側、すなわち隣り合う他の流路管３側に突出する略円筒状のフランジ部３００が形成されている。そして、隣り合う流路管３のフランジ部３００同士をろう付けにより接合することにより、複数の流路管３を連通する連通部材４が形成されている。
【００２９】
複数の流路管３のうち積層方向最外側に配置される流路管３を外側流路管３ａとしたとき、２つの外側流路管３ａのうち一方の外側流路管３ａの長手方向両端部には、熱媒体を積層型熱交換器１に導入するための熱媒体導入口４０１と、熱媒体を積層型熱交換器１から排出するための熱媒体排出口４０２とがそれぞれ接続されている。熱媒体導入口４０１および熱媒体排出口４０２は、ろう付けにより一方の外側流路管３ａに接合されている。なお、本実施形態の流路管３、連通部材４、熱媒体導入口４０１および熱媒体排出口４０２は、アルミニウム製である。
【００３０】
熱媒体導入口４０１から導入された熱媒体は、連通部材４を通って長手方向における一方の端部から各流路管３に流入し、それぞれの熱媒体流路３０内を他方の端部に向かって流れる。そして、熱媒体は、連通部材４を通って熱媒体排出口４０２から排出される。このように、熱媒体が熱媒体流路３０を流通する間に、電子部品２との間で熱交換を行って、電子部品２を冷却するようになっている。なお、熱媒体としては、本実施形態ではエチレングリコール系の不凍液が混入した水を用いている。
【００３１】
図３は本第１実施形態におけるインナーフィン３３を示しており、（ａ）が流路管３の長手方向（以下、流路管長手方向という）から見た断面図、（ｂ）が流路管積層方向から見た平面図である。
【００３２】
図３に示すように、１つの流路管３内に積層配置された３段のインナーフィン３３として、ウェーブフィンがそれぞれ用いられている。具体的には、インナーフィン３３は、流路管長手方向に延びるとともに細流路３３３を分割する板部３３１と、隣り合う板部３３１間を繋ぐ連結部３３２とを有し、流路管長手方向に直交する断面形状が台形波状に形成されるとともに、流路管積層方向から見た際に板部３３１が流路管長手方向に三角波形に屈折するように形成されている。
【００３３】
図４は、本第１実施形態におけるインナーフィン３３を流路管長手方向から見た模式的な断面図である。ここで、インナーフィン３３における１つの板部３３１に接続される２つの連結部３３２のうち、流路管積層方向の一側（図４における上側）に配置されるものを頂部５１とし、流路管積層方向の他側（図４における下側）に配置されるものを谷部５２とする。また、流路管長手方向および流路管積層方向に対してともに直交する方向を、流路管幅方向とする。
【００３４】
３段のインナーフィン３３は、１枚の金属板を、２箇所の折り返し部５を設けて折り返すことにより形成されている。具体的には、１枚の金属板を、２箇所の折り返し部５で流路管積層方向の他側に向かってそれぞれ折り返すことで、３段積層されたインナーフィン３３が形成されている。
【００３５】
１段目のインナーフィン３３Ａと２段目のインナーフィン３３Ｂとの間の折り返し部５は、１段目のインナーフィン３３Ａの谷部５２と、２段目のインナーフィン３３Ｂの頂部５１とにより構成されている。同様に、２段目のインナーフィン３３Ｂと３段目のインナーフィン３３Ｃとの間の折り返し部５は、２段目のインナーフィン３３Ｂの谷部５２と、３段目のインナーフィン３３Ｃの頂部５１とにより構成されている。
【００３６】
１、２段目のインナーフィン３３Ａ、３３Ｂの折り返し部５を構成する谷部（以下、折り返し谷部５２０という）における流路管幅方向の長さＷ１は、１、２段目のインナーフィン３３Ａ、３３Ｂの他の谷部５２における流路管幅方向の長さＷ２の半分になっている。また、２、３段目のインナーフィン３３Ｂ、３３Ｃの折り返し部５を構成する頂部（以下、折り返し頂部５１０という）における流路管幅方向の長さＷ３は、２、３段目のインナーフィン３３Ｂ、３３Ｃの他の頂部５１における流路管幅方向の長さＷ４の半分になっている。
【００３７】
ここで、インナーフィン３３の頂部５１は、頂部５１の流路管幅方向長さの半分の長さを有する２つの半頂部５１ａから構成されているともいえる。また、インナーフィン３３の谷部５２は、谷部５２の流路管積層方向長さの半分の長さを有する２つの半谷部５２ａから構成されているともいえる。
【００３８】
以下、インナーフィン３３において、１つの頂部５１と、当該頂部５１に接続される２つの板部３３１と、当該２つの板部３３１の各々に接続される半谷部５２ａとから構成される部分を山部６という。また、インナーフィン３３において、１つの半頂部５１ａと、当該半頂部５１ａに接続される１つの板部３３１と、当該板部３３１に接続される半谷部５２ａとから構成される部分を半山部７という。
【００３９】
このとき、本実施形態では、１段目のインナーフィン３３Ａは、８個の山部６から構成されている。また、２段目のインナーフィン３３Ｂは、８個の山部６と１個の半山部７とから構成されている。より詳細には、２段目のインナーフィン３３Ｂは、１段目のインナーフィン３３Ａとの折り返し部５に半山部７が配置されている。
【００４０】
３段目のインナーフィン３３Ｃにおいては、７個の山部６の両端部側に１個ずつ半山部７が配置されている。このため、３段目のインナーフィン３３Ｃは、８個の山部６から構成されているともいえる。
【００４１】
以上説明したように、２段目のインナーフィン３３Ｂと３段目のインナーフィン３３Ｃとの間の折り返し部５を、２段目のインナーフィン３３Ｂの谷部５２と、３段目のインナーフィン３３Ｃの頂部５１とにより構成することで、２段目のインナーフィン３３Ｂと３段目のインナーフィン３３Ｃとの間の折り返し部５、すなわち折り曲げ起点を１個とすることができる。このため、当該折り返し部５が相対的に流路管幅方向にずれることは起こり得ない。したがって、２段目のインナーフィン３３Ｂと３段目のインナーフィン３３Ｃ間の位置ずれを抑制することができる。その結果、２段目のインナーフィン３３Ｂと３段目のインナーフィン３３Ｃ間の位置ずれを抑制しつつ、１枚の金属板を折り曲げることにより３段積層されたインナーフィン３３を形成することが可能となる。
【００４２】
また、１、２段目のインナーフィン３３Ａ、３３Ｂの折り返し谷部５２０における流路管幅方向の長さＷ１を、１、２段目のインナーフィン３３Ａ、３３Ｂの他の谷部５２における流路管幅方向の長さＷ２の半分にするとともに、２、３段目のインナーフィン３３Ｂ、３３Ｃの折り返し頂部５１０における流路管幅方向の長さＷ３を、２、３段目のインナーフィン３３Ｂ、３３Ｃの他の頂部５１における流路管幅方向の長さＷ４の半分にすることで、流路管積層方向に隣り合うインナーフィン３３の互いの頂部５１と谷部５２とを対向させることができる。これにより、一方のインナーフィン３３に沿って流れる熱媒体と他方のインナーフィン３３に沿って流れる熱媒体とが、互いに反対向きの蛇行の仕方をすることとなるため、熱交換性能を向上させることが可能となる。
【００４３】
（第２実施形態）
次に、本発明の第２実施形態について図５に基づいて説明する。本第２実施形態は、上記第１実施形態と比較して、１段目のインナーフィン３３Ａの流路管幅方向における折り曲げ部５と反対側の端部に半山部７を追加するとともに、３段目のインナーフィン３３Ｂにおける折り曲げ部５と反対側の端部に配置された半山部７を山部６に変更した点が異なるものである。
【００４４】
図５は、本第２実施形態におけるインナーフィン３３を流路管長手方向から見た模式的な断面図である。図５に示すように、各段のインナーフィン３３は、それぞれ、８個の山部６と１個の半山部７とから構成されている。具体的には、１段目のインナーフィン３３Ａは、流路管幅方向における折り曲げ部５と反対側の端部に半山部７が配置されている。また、２段目のインナーフィン３３Ｂは、１段目のインナーフィン３３Ａとの折り返し部５に半山部７が配置されている。また、３段目のインナーフィン３３Ｃは、２段目のインナーフィン３３Ｂとの折り返し部５に半山部７が配置されている。
【００４５】
本実施形態によっても、２段目のインナーフィン３３Ｂと３段目のインナーフィン３３Ｃとの間の折り返し部５を、２段目のインナーフィン３３Ｂの谷部５２と、３段目のインナーフィン３３Ｃの頂部５１とにより構成することができるので、上記第１実施形態と同様の効果を得ることができる。
【００４６】
（第３実施形態）
次に、本発明の第３実施形態について図６に基づいて説明する。本第３実施形態は、上記第１実施形態と比較して、２、３段目のインナーフィン３３Ｂ、３３Ｃの山部６の数をそれぞれ１個減少させるとともに、３段目のインナーフィン３３Ｂにおける折り曲げ部５と反対側の端部に配置された半山部７を山部６に変更した点が異なるものである。
【００４７】
図６は、本第３実施形態におけるインナーフィン３３を流路管長手方向から見た模式的な断面図である。図６に示すように、１段目のインナーフィン３３Ａは、８個の山部６から構成されている。また、２段目のインナーフィン３３Ｂは、７個の山部６と１個の半山部７とから構成されている。より詳細には、２段目のインナーフィン３３Ｂは、１段目のインナーフィン３３Ａとの折り返し部５に半山部７が配置されている。
【００４８】
３段目のインナーフィン３３Ｃは、７個の山部６と１個の半山部７とから構成されている。より詳細には、３段目のインナーフィン３３Ｃは、２段目のインナーフィン３３Ｂとの折り返し部５に半山部７が配置されている。
【００４９】
本実施形態によっても、２段目のインナーフィン３３Ｂと３段目のインナーフィン３３Ｃとの間の折り返し部５を、２段目のインナーフィン３３Ｂの谷部５２と、３段目のインナーフィン３３Ｃの頂部５１とにより構成することができるので、上記第１実施形態と同様の効果を得ることができる。
【００５０】
（第４実施形態）
次に、本発明の第４実施形態について図７に基づいて説明する。本第４実施形態は、上記第３実施形態と比較して、３段目のインナーフィン３３Ｃの流路管幅方向における折り曲げ部５と反対側の端部に半山部７を追加した点が異なるものである。
【００５１】
図７は、本第４実施形態におけるインナーフィン３３を流路管長手方向から見た模式的な断面図である。図７に示すように、本実施形態の３段目のインナーフィン３３Ｃにおいては、７個の山部６の両端部側に１個ずつ半山部７が配置されている。このため、３段目のインナーフィン３３Ｃは、８個の山部６から構成されているともいえる。
【００５２】
本実施形態によっても、２段目のインナーフィン３３Ｂと３段目のインナーフィン３３Ｃとの間の折り返し部５を、２段目のインナーフィン３３Ｂの谷部５２と、３段目のインナーフィン３３Ｃの頂部５１とにより構成することができるので、上記第１実施形態と同様の効果を得ることができる。
【００５３】
（第５実施形態）
次に、本発明の第５実施形態について図８に基づいて説明する。本第４実施形態は、上記第３実施形態と比較して、３段目のインナーフィン３３Ｃの流路管幅方向における折り曲げ部５と反対側の端部に配置された山部６を半山部７に変更した点が異なるものである。
【００５４】
図８は、本第５実施形態におけるインナーフィン３３を流路管長手方向から見た模式的な断面図である。図８に示すように、本実施形態の３段目のインナーフィン３３Ｃにおいては、６個の山部６の両端部側に１個ずつ半山部７が配置されている。このため、３段目のインナーフィン３３Ｃは、７個の山部６から構成されているともいえる。
【００５５】
本実施形態によっても、２段目のインナーフィン３３Ｂと３段目のインナーフィン３３Ｃとの間の折り返し部５を、２段目のインナーフィン３３Ｂの谷部５２と、３段目のインナーフィン３３Ｃの頂部５１とにより構成することができるので、上記第１実施形態と同様の効果を得ることができる。
【００５６】
（他の実施形態）
上述の各実施形態では、１つの流路管３内にインナーフィン３３を３段積層配置した例について説明したが、これに限らず、１つの流路管３内に４段以上のインナーフィン３３を積層配置してもよい。
【符号の説明】
【００５７】
３      流路管
５      折り返し部
６      山部
７      半山部
３３    インナーフィン
５１    頂部
５２    谷部
３３１  板部
３３２  連結部
３３３  細流路
【図１】
2011228580.tif 000003
【図２】
2011228580.tif 000004
【図３】
2011228580.tif 000005
【図４】
2011228580.tif 000006
【図５】
2011228580.tif 000007
【図６】
2011228580.tif 000008
【図７】
2011228580.tif 000009
【図８】
2011228580.tif 000010
【図９】
2011228580.tif 000011